(57)【要約】【課題】携帯端末機用スイング式カバー開閉装置を提供する。【解決手段】本発明の携帯端末機用スイング式カバー開閉装置１００は、本体ケース１０と、本体ケース１０に回転可能に装着されるカバーケース３０と、カバーケース３０の回転によってそのカバーケース３０に弾発力を提供する弾性ユニット７０とを含み、弾性ユニット７０は、本体ケース１０に回転可能に連結されるハウジング７１と、ハウジング７１の内部にスライディング及びロッキング可能に結合され、カバーケース３０に回転可能に連結されるスライド部材８１と、ハウジング７１の内部に設置されてスライド部材８１に弾発力を発揮するスプリング部材９１とを含んで構成される。【選択図】図１
2011526715.tif 000002
【特許請求の範囲】
【請求項１】
携帯端末機の本体に構成され、一側に貫通部を形成している本体ケースと、
前記携帯端末機のカバーに構成され、前記貫通部を貫通する中空軸部が一体に突出して形成され、前記中空軸部を通じて前記本体ケースに回転可能に装着されるカバーケースと、
前記本体ケース及び前記カバーケースに両端部が各々回転可能に結合され、前記カバーケースの回転によってそのカバーケースに弾発力を提供する弾性ユニットとを含み、
前記弾性ユニットは、前記本体ケースに第１ヒンジピンによって回転可能に連結されるハウジングと、前記ハウジングの内部にスライディング及びロッキング可能に結合され、第２ヒンジピンによって前記カバーケースに回転可能に連結されるスライド部材と、前記ハウジングの内部に設置されて前記スライド部材に弾発力を発揮する複数のスプリング部材とを含んで構成される、携帯端末機用スイング式カバー開閉装置。
【請求項２】
前記本体ケースには、少なくとも９０度以上の軌跡を描く円弧形状のレール部が前記貫通部の周辺側に形成され、前記レール部の両端部に係止部が各々形成され、
前記レール部に対応して、前記カバーケースの下部面には、前記レール部に沿ってスライディングされる突起形態のストッパーが一体に形成される、請求項１に記載の携帯端末機用スイング式カバー開閉装置。
【請求項３】
前記貫通部の下部面周辺部分に回転可能に支持された状態で、前記貫通部を通じて前記中空軸部に嵌合される環形態の回転支持部材をさらに含む、請求項１に記載の携帯端末機用スイング式カバー開閉装置。
【請求項４】
前記カバーケースの中空軸部には、前記回転支持部材が嵌合される装着端を周方向に沿って形成し、前記装着端には少なくとも一つのキー突起が一体に形成され、
前記回転支持部材には、その内周面に前記キー突起と形態の結合をなすキー溝が形成される、請求項３に記載の携帯端末機用スイング式カバー開閉装置。
【請求項５】
前記回転支持部材は、前記貫通部の下部面周辺部分を支持する支持リブを一体に形成する、請求項３に記載の携帯端末機用スイング式カバー開閉装置。
【請求項６】
前記貫通部の下部面周辺部分には、前記支持リブがスライディング可能なスライディング溝が形成される、請求項５に記載の携帯端末機用スイング式カバー開閉装置。
【請求項７】
前記本体ケースには、前記ハウジングの回転軌跡に相応する装着ホールが貫通して形成される、請求項１に記載の携帯端末機用スイング式カバー開閉装置。
【請求項８】
前記本体ケースは、前記カバーケースの予め設定された回転角度を制御する補助ストッパーをさらに含み、
前記補助ストッパーは前記装着ホールの両側孔端からなる、請求項７に記載の携帯端末機用スイング式カバー開閉装置。
【請求項９】
前記ハウジングは、プレート形態に形成され、前記各スプリング部材を装着するための複数のスプリング装着溝を幅方向に沿って連続的に形成し、前記各スプリング装着溝と連結されると共に前記スライド部材と形態の結合をなすガイド溝を形成し、その両側に前記ガイド溝と連結される長孔形態のロッキングホールを形成する、請求項１に記載の携帯端末機用スイング式カバー開閉装置。
【請求項１０】
前記スライド部材は、前記ガイド溝に嵌合される板形状からなり、前記ハウジングの両側のスプリング装着溝に装着された前記各スプリング部材に嵌合される一対の支持ピンを一体に形成し、
前記各支持ピンには、前記ロッキングホールに結合されるロッキング突起が一体に形成される、請求項９に記載の携帯端末機用スイング式カバー開閉装置。
【請求項１１】
前記本体ケース及び前記ハウジングには、前記第１ヒンジピンを結合するための第１及び第２ヒンジホールが各々形成され、前記カバーケース及び前記スライド部材には、前記第２ヒンジピンを結合するための第３及び第４ヒンジホールが各々形成され、
前記スライド部材は前記貫通部の上部面周辺部分で支持される、請求項１に記載の携帯端末機用スイング式カバー開閉装置。
【請求項１２】
前記カバーケースが予め設定された角度に回転する場合、前記カバーケースを上側方向に浮上させるために、
前記カバーケースには、前記中空軸部の外側周辺に沿って第１カム面を有する第１カム部が一体に形成され、
前記本体ケースには、前記第１カム部に対応して、前記貫通部の上部面周辺に沿って前記第１カム面と相互面接触する第２カム面を有する第２カム部が一体に形成される、請求項１に記載の携帯端末機用スイング式カバー開閉装置。
【請求項１３】
前記貫通部の下部面周辺部分に回転可能に支持された状態で、前記貫通部を通して前記中空軸部に嵌合され、前記貫通部の下部面周辺部分を支持する支持リブを一体に形成している環形態の回転支持部材をさらに含み、
前記カバーケースの開閉時、前記本体ケースと前記カバーケースの間に所定のギャップを形成するために、前記支持リブの上面には第３カム面からなる第３カム部が形成され、前記第３カム部に対応する前記貫通部の下部面周辺部分には前記第３カム面と相互面接触する第４カム面を有する第４カム部が一体に形成される、請求項１２に記載の携帯端末機用スイング式カバー開閉装置。
【請求項１４】
前記カバーケースの中空軸部には、前記第１カム部の内側に前記回転支持部材が嵌合される装着端を形成し、前記装着端には少なくとも一つのキー突起が一体に形成され、
前記回転支持部材には、前記第３カム部の内側周辺部に前記キー突起と形態の結合をなすキー溝が形成される、請求項１３に記載の携帯端末機用スイング式カバー開閉装置。
【請求項１５】
前記各カム部のカム面には９０度の間隔で凸区間を形成し、これら凸区間の間に凹区間を各々形成する、請求項１３に記載の携帯端末機用スイング式カバー開閉装置。
【発明の詳細な説明】
【技術分野】
【０００１】
本発明の例示的な実施例は携帯用端末機用カバー開閉装置に関するものであって、より詳しくは、携帯端末機のカバーを半自動的に時計回りまたは反時計回りの方向に回転させられるようにする携帯端末機用スイング式カバー開閉装置に係わる。
【背景技術】
【０００２】
一般に、固定された場所でというより、移動中に通信及び放送などのサービスを無線で利用するためには、携帯電話、ＰＤＡ、ノートパソコン、及びＤＭＢフォーンなどの携帯端末機が多く使用される。
【０００３】
前記携帯端末機は、情報化時代に応じた生活の便宜性を享受するためになくてはならない重要な必需品の一つになっており、特に、携帯電話機の場合は小学生、中学生、高校生から老人まで、普及対象が非常に広範囲である。
【０００４】
前記のように携帯端末機は、最近になって需要量と使用者層が急激に増加するに伴って、これを利用する消費者の立場では、新しいデザインや機能が付与された製品を期待し続けている。
【０００５】
前記携帯端末機は、キーパッドが備えられる本体と、ディスプレイ用液晶が備えられるカバーが相互開閉可能に結合され、通常、本体に対するカバーの開閉構造によって、フォルダー方式、ヒンジ方式、スライディング方式、及びスイング方式などに区分される。
【０００６】
そして、最近、ＤＭＢ（ｄｉｇｉｔａｌ  ｍｕｌｔｉｍｅｄｉａ  ｂｒｏａｄｃａｓｔｉｎｇ）サービスが商用化されるに伴って、写真及び動画などのマルチメディアを便利に鑑賞することができるように、カバーを本体に対して所定の角度に回転させる場合、本体とカバーの間に形成されるスイング装置によって半自動的に回転されると共にカバーが本体に対して開放される構造を有するスイング式カバー開閉装置が消費者に大人気である。
【０００７】
しかし、従来の技術による大部分の携帯端末機用スイング式カバー開閉装置は半自動的にカバーを開閉するように構成されるために、製品の大きさ及び厚さ、部品数などが増加するという問題点があり、これは携帯端末機の小型化及びスリム化の障害要因となっているので、このような問題点を解決するための技術開発が切実に要求されている。
【０００８】
また、従来の技術では、通常、面接触方式のカム及び弾性部材を採用してカバーを半自動的に開閉させる構造であるため、全体的な構造が複雑であり、カムの面接触によるカバーの開閉作動が安定的でないという問題点を有している。
【発明の概要】
【発明が解決しようとする課題】
【０００９】
本発明の例示的な実施例は前記の問題点を改善するために発明されたものであって、カバーの開閉動作が滑らかで安定的であり、耐久性が向上し、簡単な構造で携帯端末機のスリム化及び軽量化を実現することができる携帯端末機用スイング式カバー開閉装置を提供する。
【課題を解決するための手段】
【００１０】
本発明の例示的な実施例による携帯端末機用スイング式カバー開閉装置は、携帯端末機の本体に構成され、一側に貫通部を形成している本体ケースと、前記携帯端末機のカバーに構成され、前記貫通部を貫通する中空軸部が一体に突出して形成され、前記中空軸部を通じて前記本体ケースに回転可能に装着されるカバーケースと、前記本体ケース及び前記カバーケースに両端部が各々回転可能に結合され、前記カバーケースの回転によってそのカバーケースに弾発力を提供する弾性ユニットとを含み、前記弾性ユニットは、前記本体ケースに第１ヒンジピンによって回転可能に連結されるハウジングと、前記ハウジングの内部にスライディング及びロッキング可能に結合され、第２ヒンジピンによって前記カバーケースに回転可能に連結されるスライド部材と、前記ハウジングの内部に設置されて前記スライド部材に弾発力を発揮する複数のスプリング部材とを含んで構成される。
【００１１】
前記携帯端末機用スイング式カバー開閉装置において、前記本体ケースには、少なくとも９０度以上の軌跡を描く円弧形状のレール部が前記貫通部の周辺側に形成され、前記レール部の両端部に係止部が各々形成され、前記レール部に対応して、前記カバーケースの下部面には、前記レール部に沿ってスライディングされる突起形態のストッパーが一体に形成されることができる。
【００１２】
前記携帯端末機用スイング式カバー開閉装置は、前記貫通部の下部面周辺部分に回転可能に支持された状態で、前記貫通部を通じて前記中空軸部に嵌合される環形態の回転支持部材をさらに含むことができる。
【００１３】
前記携帯端末機用スイング式カバー開閉装置において、前記カバーケースの中空軸部には、前記回転支持部材が嵌合される装着端を周方向に沿って形成し、前記装着端には少なくとも一つのキー突起が一体に形成され、前記回転支持部材には、その内周面に前記キー突起と形態の結合をなすキー溝が形成されることができる。
【００１４】
前記携帯端末機用スイング式カバー開閉装置において、前記回転支持部材は、前記貫通部の下部面周辺部分を支持する支持リブを一体に形成することができる。
【００１５】
前記携帯端末機用スイング式カバー開閉装置において、前記貫通部の下部面周辺部分には、前記支持リブがスライディング可能なスライディング溝が形成されることができる。
【００１６】
前記携帯端末機用スイング式カバー開閉装置において、前記本体ケースには、前記ハウジングの回転軌跡に相応する装着ホールが貫通して形成されることができる。
【００１７】
前記携帯端末機用スイング式カバー開閉装置において、前記本体ケースには、前記カバーケースの予め設定された回転角度を制御する補助ストッパーをさらに含み、前記補助ストッパーは前記装着ホールの両側孔端からなるのが好ましい。
【００１８】
前記携帯端末機用スイング式カバー開閉装置において、前記ハウジングは、プレート形態に形成され、前記各スプリング部材を装着するための複数のスプリング装着溝を幅方向に沿って連続的に形成し、前記各スプリング装着溝と連結されると共に前記スライド部材と形態の結合をなすガイド溝を形成し、その両側に前記ガイド溝と連結される長孔形態のロッキングホールを形成することができる。
【００１９】
前記携帯端末機用スイング式カバー開閉装置において、前記スライド部材は、前記ガイド溝に嵌合される板形状からなり、前記ハウジングの両側のスプリング装着溝に装着された前記各スプリング部材に嵌合される一対の支持ピンを一体に形成し、前記各支持ピンには、前記ロッキングホールに結合されるロッキング突起が一体に形成されることができる。
【００２０】
前記携帯端末機用スイング式カバー開閉装置において、前記本体ケース及び前記ハウジングには、前記第１ヒンジピンを結合するための第１及び第２ヒンジホールが各々形成され、前記カバーケース及び前記スライド部材には、前記第２ヒンジピンを結合するための第３及び第４ヒンジホールが各々形成され、前記スライド部材は、前記貫通部の上部面周辺部分で支持されるのが好ましい。
【００２１】
前記携帯端末機用スイング式カバー開閉装置は、前記カバーケースが予め設定された角度で回転する場合、前記カバーケースを上側方向に浮上させるために、前記カバーケースには、前記中空軸部の外側周辺に沿って第１カム面を有する第１カム部が一体に形成され、前記本体ケースには、前記第１カム部に対応して、前記貫通部の上部面周辺に沿って前記第１カム面と相互面接触する第２カム面を有する第２カム部が一体に形成されることができる。
【００２２】
前記携帯端末機用スイング式カバー開閉装置は、前記カバーケースの開閉時、前記本体ケースと前記カバーケースの間に所定のギャップを形成するために、前記支持リブの上面には第３カム面からなる第３カム部が形成され、前記第３カム部に対応する前記貫通部の下部面周辺部分には前記第３カム面と相互面接触する第４カム面を有する第４カム部が一体に形成されることができる。
【００２３】
前記携帯端末機用スイング式カバー開閉装置において、前記カバーケースの中空軸部には、前記第１カム部の内側に前記回転支持部材が嵌合される装着端を形成し、前記装着端には少なくとも一つのキー突起が一体に形成され、前記回転支持部材には、前記第３カム部の内側周辺部に前記キー突起と形態の結合をなすキー溝が形成されることができる。
【００２４】
前記携帯端末機用スイング式カバー開閉装置において、前記各カム部のカム面には９０度の間隔で凸区間を形成し、これら凸区間の間に凹区間を各々形成することができる。
【発明の効果】
【００２５】
前述のような本発明の例示的な実施例による携帯端末機用スイング式カバー開閉装置によれば、携帯端末機のカバーを回転させるための構成を本体ケース及びカバーケースに一体に形成し、その本体ケースに弾性ユニットを構成することはもちろん、本体ケースに弾性ユニットを装着するための装着ホールを形成することによって、全体的な装置の厚さが薄くなるので携帯端末機のスリム化及び軽量化に有利であることはもちろん、その携帯端末機の設計が簡単かつ容易に行われる。
【００２６】
また、本実施例では、カム構造による面接触方式の従来の技術と異なって耐久性が向上され、簡単な構造でカバーをより滑らかく安定的に開閉させることが可能である。
【００２７】
さらに、本実施例では、カバーの開閉時にそのカバーを浮上させることができ、カバーケースと本体ケースの間に所定のギャップを形成することにより、カバーケース及び本体ケースで発生する摩擦騒音及びスクラッチ損傷などを減少させることができ、これらケースの揺動を未然に防止することができる。
【図面の簡単な説明】
【００２８】
【図１】本発明の例示的な実施例による携帯端末機用スイング式カバー開閉装置を示した平面構成図である。
【図２】本発明の例示的な実施例による携帯端末機用スイング式カバー開閉装置の分解斜視図である。
【図３】図１のＡ−Ａ線における断面構成図である。
【図４】本発明の例示的な実施例による携帯端末機用スイング式カバー開閉装置に適用される本体ケースの上部面を示した斜視図である。
【図５】本発明の例示的な実施例による携帯端末機用スイング式カバー開閉装置に適用されるカバーケースの上部面を示した斜視図である。
【図６】本発明の例示的な実施例による携帯端末機用スイング式カバー開閉装置に適用される本体ケースの下部面を示した斜視図である。
【図７】本発明の例示的な実施例による携帯端末機用スイング式カバー開閉装置に適用される本体ケースの下部面を示した斜視図である。
【図８】本発明の例示的な実施例による携帯端末機用スイング式カバー開閉装置に適用される弾性ユニットの構成を示した分解斜視図である。
【図９】本発明の例示的な実施例による携帯端末機用スイング式カバー開閉装置において、携帯端末機のカバーを９０度に開放した状態を示した平面構成図である。
【図１０】本発明の例示的な実施例による携帯端末機用スイング式カバー開閉装置において、携帯端末機のカバーを１８０度に開放した状態を示した平面構成図である。
【図１１】本発明の例示的な他の実施例による携帯端末機用スイング式カバー開閉装置を示した分解斜視図である。
【図１２】本発明の例示的な他の実施例による携帯端末機用スイング式カバー開閉装置に適用されるカバーケースの下部面を示した斜視図である。
【図１３】本発明の例示的な他の実施例による携帯端末機用スイング式カバー開閉装置に適用される本体ケースの下部面を示した斜視図である。
【発明を実施するための形態】
【００２９】
以下、添付した図面を参照して、本発明の実施例について本発明が属する技術分野にて通常の知識を有する者が容易に実施できるように詳しく説明する。しかし、本発明は多様な相違した形態に具現されることができ、ここで説明する実施例に限られない。
【００３０】
図１は、本発明の例示的な実施例による携帯端末機用スイング式カバー開閉装置を示した平面構成図であり、図２は、本発明の例示的な実施例による携帯端末機用スイング式カバー開閉装置の分解斜視図であり、図３は、図１のＡ−Ａ線における断面構成図である。
【００３１】
図面を参照すれば、本発明の例示的な実施例によるスイング式カバー開閉装置１００が適用される携帯端末機１として、キーパッドなどが構成される本体３、及びディスプレー部などが構成されるカバー５からなる携帯電話機が挙げられる。
【００３２】
このような携帯端末機１は、本実施例によるスイング式カバー開閉装置１００によって、カバー５を所定の角度で時計回りあるいは反時計回り方向に回転させられる構造からなる。
【００３３】
前記携帯端末機１は、本体３とカバー５がほぼ正四角形からなる。
【００３４】
そして、本実施例による携帯端末機用スイング式カバー開閉装置１００は、本体３とカバー５の間でこれらの一側角部分（携帯端末機を立てた時の上側角部分）に構成される。
【００３５】
ここで、このような本発明の例示的な実施例によるスイング式カバー開閉装置１００は、前述の携帯電話機に適用されることに特に限定されず、ＰＤＡ、ＰＭＰ、ＤＭＢなどのような各種携帯端末機に適用されることもできる。
【００３６】
本実施例による前記携帯端末機用スイング式カバー開閉装置１００は耐久性が向上し、カバー５の開閉動作が滑らかく安定的であり、カバー５を半自動的に回転させることができ、簡単な構造で携帯端末機１のスリム化及び軽量化を図れる構成からなる。
【００３７】
このような携帯端末機用スイング式カバー開閉装置１００は、基本的に、本体ケース１０、カバーケース３０、回転支持部材５０、及び弾性ユニット７０を含んで構成される。これを各構成別により詳しく説明すれば次の通りである。
【００３８】
本実施例において、前記本体ケース１０は板形状からなり、携帯端末機１の本体３に配置される。
【００３９】
前記本体ケース１０は、前面（本体ケースを立てた時の前面）の上側角部に貫通部１１を形成している。
【００４０】
このような貫通部１１は後述のカバーケース３０の中空軸部３１が貫通できる円形の孔からなる。
【００４１】
そして、前記本体ケース１０は、図４に示されたように、その上部面において貫通部１１の周辺部分に所定の幅を有する周辺突起１３が突出して形成される。
【００４２】
また、前記本体ケース１０には、後述の弾性ユニット７０の一側端部を回転可能にヒンジ結合するための第１ヒンジホールＨ１を形成している。
【００４３】
さらに、ボルト及びリベットなどのような締結部材（図示せず）によって、前記本体ケース１０にキーパッドなどを設置して携帯端末機１の本体３を構成するために、その本体ケース１０に多数の締結孔（図示せず）が形成されていることは明らかである。
【００４４】
さらに、前記本体ケース１０は、周辺突起１３の外側に少なくとも９０度以上の回転軌跡、好ましくは９０度の回転軌跡を描く円弧形状のレール部１５を形成する。
【００４５】
ここで、前記レール部１５は、周辺突起１３に対応する円弧を描く溝形態からなり、そのレール部１５の両端部には係止部１７が各々形成される。
【００４６】
本実施例において、前記カバーケース３０は板形状からなり、携帯端末機１のカバー５に配置される。
【００４７】
前記カバーケース３０は、図５に示されたように、本体ケース１０の貫通部１１に対応して、前面（カバーケースを立てた時の前面）の上側角部に後方に向かって円形の中空軸部３１が一体に突出して形成されている。
【００４８】
このような中空軸部３１は、本体ケース１０の貫通部１１に貫通可能に形成される。
したがって、前記カバーケース３０は、中空軸部３１によって本体ケース１０に実質的に回転可能に装着されるようになる。
【００４９】
そして、前記カバーケース３０は、その下部面に本体ケース１０のレール部１５に対応するストッパー３３を形成している。
【００５０】
前記ストッパー３３は、中空軸部３１の周辺外側にカバーケース３０と一体に突出して形成され、レール部１５と形態の結合を成して、カバーケース３０の回転によってそのレール部１５に沿ってスライディングされる。
【００５１】
このストッパー３３は、カバーケース３０が回転する時、前記レール部１５に沿ってスライディングされながらそのレール部１５両側の係止部１７に掛かることによって、前記カバーケース３０が予め設定された回転角度（好ましくは９０度）以上に回転することを阻止する機能を果たすようになる。
【００５２】
また、前記カバーケース３０は、後述の弾性ユニット７０の他の一側端部を回転可能にヒンジ結合するための第３ヒンジホールＨ３を形成している。
【００５３】
ここで、ボルト及びリベットなどのような締結部材（図示せず）によって、前記カバーケース３０にディスプレー部などを設置して携帯端末機１のカバー５を構成するために、そのカバーケース３０に多数の締結孔（図示せず）が形成されていることは明らかである。
【００５４】
本実施例において、前記回転支持部材５０（当業界では通常、“ワッシャー”ともいう）は、本体ケース１０に対してカバーケース３０を回転可能に支持すると同時に、その本体ケース１０とカバーケース３０を回転可能に相互結合するためのものである。
【００５５】
前記回転支持部材５０は、本体ケース１０に回転可能に支持された状態で、その本体ケース１０の貫通部１１によってカバーケース３０の中空軸部３１に嵌合されて固定される環形態からなる。
【００５６】
前記回転支持部材５０は、図６及び図７に示されたように、本体ケース１０の下部面側から貫通部１１に嵌合されると共に、その貫通部１１の周辺部分に回転可能に支持される。
【００５７】
このために、前記回転支持部材５０は、貫通部１１の周辺部分を支持する支持リブ５１がその下端の周辺部分に一体に形成される。支持リブ５１は、回転支持部材５０の同心円外側に突出する。
【００５８】
これと共に、前記貫通部１１の周辺部分には、回転支持部材５０の支持リブ５１と形態の結合を成し、その支持リブ５１がスライディングできるようにスライディング溝１９が形成される。
【００５９】
そして、前記回転支持部材５０は、本体ケース１０の貫通部１１を通じてカバーケース３０の中空軸部３１に圧入方式で嵌合される。
【００６０】
つまり、前記回転支持部材５０は、その支持リブ５１がスライディング溝１９に回転可能に支持された状態でカバーケース３０の中空軸部３１に嵌合されて、そのカバーケース３０と共に回転するようになる。
【００６１】
前記のようにカバーケース３０の中空軸部３１に回転支持部材５０を嵌合して装着するために、その中空軸部３１には回転支持部材５０が嵌合されて装着される、いわゆるステップとしての装着端３５がその中空軸部３１の周方向に沿って形成される（図５参照）。
【００６２】
本実施例において、前記中空軸部３１の装着端３５及び回転支持部材５０には、その回転支持部材５０を装着端３５に固定させると同時に回転支持部材５０の位置を一定に維持させるための位置固定手段を備えている。
【００６３】
このような位置固定手段は、中空軸部３１の装着端３５に一体に突出して形成される少なくとも一つのキー突起３７と、前記キー突起３７に対応して回転支持部材５０の内周面に形成されるキー溝５３（図２参照）とからなる。
【００６４】
前記キー突起３７は中空軸部３１の装着端３５に一対に備えられるが、これらキー突起３７は中空軸部３１の中心を基準にして１８０度方向に配置される。
【００６５】
そして、前記キー溝５３は、各キー突起３７と形態の結合をなす凹溝からなる。
【００６６】
本実施例において、前記弾性ユニット７０は、本体ケース１０に支持された状態で、カバーケース３０の回転によってそのカバーケース３０に弾発力を提供するためのものである。
【００６７】
つまり、前記弾性ユニット７０は、カバーケース３０が一定の区間回転するまで使用者がそのカバーケース３０に力を加えることによって前記カバーケース３０に弾発力が提供され、残りの区間で、その弾発力によってカバーケース３０の回転運動が自動的に行われるようにする機能を果たす。
【００６８】
前記弾性ユニット７０は、本体ケース１０の第１ヒンジホールＨ１及びカバーケース３０の第３ヒンジホールＨ３に両端部が各々回転可能に結合される。
【００６９】
このような弾性ユニット７０は、図８に示されたように、ハウジング７１、スライド部材８１、及び複数のスプリング部材９１を含んで構成される。
【００７０】
ここで、前記ハウジング７１は、本体ケース１０の第１ヒンジホールＨ１に回転可能に連結される。
【００７１】
前記スライド部材８１は、カバーケース３０の第３ヒンジホールＨ３に回転可能に連結されると共に、ハウジング７１の内部にスライディング及びロッキング可能に結合される。
【００７２】
そして、前記スプリング部材９１はハウジング７１の内部に設けられる。
【００７３】
前記弾性ユニット７０の各構成をより詳しく説明すれば、まず、ハウジング７１は全体的な外形形状がプレート形態からなり、第１ヒンジピン７１Ａによって本体ケース１０の第１ヒンジホールＨ１に回転可能に連結される。
【００７４】
さらに、前記ハウジング７１の一側端部には、本体ケース１０の第１ヒンジホールＨ１によって第１ヒンジピン７１Ａが結合できる第２ヒンジホールＨ２を形成している。
【００７５】
本実施例において、前記ハウジング７１は、本体ケース１０の貫通部１１の中心と同一線上に位置するヒンジ点、つまり、本体ケース１０の第１ヒンジホールＨ１とハウジング７１の第２ヒンジホールＨ２とが一致した状態でこれらヒンジホールＨ１、Ｈ２に第１ヒンジピン７１Ａが嵌合された地点を中心に９０度の軌跡を描きながら回転可能であるように設置される。
【００７６】
そして、前記ハウジング７１は、他の一側端部から内部へと幅方向に沿って各々のスプリング部材９１を装着するための複数のスプリング装着溝７４を連続的に形成している。
【００７７】
好ましくは、前記スプリング装着溝７４は、ハウジング７１の内部にて幅方向に沿って一定の間隔で離隔して４個所に形成される。
【００７８】
また、前記ハウジング７１の内部には、各スプリング装着溝７４と相互連結されると共に、スライド部材８１が形態の結合を成して挿入されるガイド溝７５を形成している。
【００７９】
前記ガイド溝７５は、ハウジング７１の幅方向に沿って各スプリング装着溝７４と相互連結され、そのハウジング７１の両側端部まで延長して形成される。
【００８０】
さらに、前記ハウジング７１の両側端面には、ガイド溝７５に連結される長孔形態のロッキングホール７６を形成している。
【００８１】
本実施例において、前記スライド部材８１は、ハウジング７１の他の一側端部からガイド溝７５に挿入可能であるように板形状からなる。
【００８２】
前記スライド部材８１は、ハウジング７１のガイド溝７５とロッキングホール７６に各々スライディング及びロッキング可能に装着された状態で、その端部がカバーケース３０の第３ヒンジホールＨ３にヒンジ結合される。
【００８３】
このために、前記スライド部材８１の端部には、カバーケース３０の第３ヒンジホールＨ３を通じて第２ヒンジピン７１Ｂが結合できる第４ヒンジホールＨ４を形成している。
【００８４】
ここで、前記スライド部材８１は、カバーケース３０に回転可能に連結された状態で、前述の本体ケース１０の周辺突起１３の上面で支持される（図４参照）。
【００８５】
そして、前記スライド部材８１は、ハウジング７１の両側のスプリング装着溝７４に装着された各スプリング部材９１に嵌合される一対の支持ピン８４を一体に形成している。
【００８６】
ここで、前記各支持ピン８４には、ハウジング７１のロッキングホール７６に嵌合されて、スライド部材８１に対して発揮されるスプリング部材９１の弾発力によってそのロッキングホール７６にロッキングできるロッキング突起８８が形成される。
【００８７】
前記において、各スプリング部材９１は、ハウジング７１のスプリング装着溝７４に嵌合されてスライド部材８１に対して弾性力を発揮する機能を果たすようになる。
【００８８】
このようなスプリング部材９１は、本実施例では圧縮コイルスプリングからなるのが好ましい。
【００８９】
一方、前述の弾性ユニット７０のハウジング７１に対応して、本実施例による本体ケース１０には、そのハウジング７１の回転軌跡に相応する装着ホール１８が形成される（図４参照）。
【００９０】
つまり、前記装着ホール１８は、ハウジング７１の回転軌跡に相応する本体ケース１０の一部分を切開することによって形成される。前記ハウジング７１はその装着ホール１８の内部領域にて９０度の回転軌跡を描きながら回転する。
【００９１】
このように前記本体ケース１０にハウジング７１の回転軌跡に相応する装着ホール１８を形成する理由は、ハウジング７１の厚さの分だけ本体ケース１０の厚さを減らすためである。
【００９２】
他方、本実施例による前記本体ケース１０は、カバーケース３０の予め設定された回転角度（９０度）を補助的に制御するための補助ストッパー１６をさらに含んでいる。
【００９３】
このような補助ストッパー１６は前述のストッパー３３の機能を補助するためのものであって、前記装着ホール１８の両側孔端からなる。
【００９４】
以下、前記のように構成される本発明の例示的な実施例による携帯端末機用スイング式カバー開閉装置１００の組み立て順序及び作動過程を詳細に説明する。
【００９５】
本発明の例示的な実施例の前記携帯端末機用スイング式カバー開閉装置１００の組み立て順序によると、まず、本実施例では弾性ユニット７０を本体ケース１０に装着し、本体ケース１０の第１ヒンジホールＨ１とハウジング７１の第２ヒンジホールＨ２を相互一致させた状態で、第１及び第２ヒンジホールＨ１、Ｈ２に第１ヒンジピン７１Ａを嵌合させる。
【００９６】
この時、前記弾性ユニット７０のハウジング７１は、本体ケース１０の装着ホール１８内部領域に位置すると共に、第１ヒンジピン７１Ａを中心に予め設定された回転角度（９０度）の軌跡に沿って装着ホール１８の内部領域にて回転可能な状態にある。
【００９７】
したがって、本実施例では、弾性ユニット７０のハウジング７１を装着ホール１８に装着することによって、そのハウジング７１の厚さの分だけ本体ケース１０の厚さを減らして装置１００全体の厚さを減らす結果をもたらし、究極的には携帯端末機１のスリム化及び軽量化を図れるようになる。
【００９８】
そして、前記弾性ユニット７０のスライド部材８１は、本体ケース１０の周辺突起１３上面で支持された状態にある。
【００９９】
次に、本実施例では、本体ケース１０の下部面側から回転支持部材５０を貫通部１１に嵌合させる。この場合、回転支持部材５０の支持リブ５１は貫通部１１周辺部分のスライディング溝１９と形態の結合をなすようになる。
【０１００】
次に、カバーケース３０の中空軸部３１を本体ケース１０の貫通部１１に挿入し、その中空軸部３１を回転支持部材５０と圧入方式で結合させる。
【０１０１】
前記過程では、中空軸部３１の装着端３５へ回転支持部材５０を嵌合させ、その装着端３５のキー突起３７を回転支持部材５０のキー溝５３に結合させる方式によってカバーケース３０の中空軸部３１と回転支持部材５０の結合が行われる。
【０１０２】
したがって、本実施例では、前記回転支持部材５０がカバーケース３０の中空軸部３１に嵌合されると同時に、キー溝５３に装着端３５のキー突起３７が結合されながらその中空軸部３１の装着端３５に回転支持部材５０が装着されるので、前記回転支持部材５０を中空軸部３１に固定させることができ、その回転支持部材５０の位置を一定に維持させることができる。
【０１０３】
これにより、前記回転支持部材５０の支持リブ５１が本体ケース１０のスライディング溝１９に支持された状態でその回転支持部材５０がカバーケース３０の中空軸部３１に嵌合されるので、前記回転支持部材５０はカバーケース３０と共に回転できるようになる。
【０１０４】
この過程において、本実施例では、カバーケース３０のストッパー３３が本体ケース１０のレール部１５に位置するようにし、カバーケース３０の第３ヒンジホールＨ３とスライド部材８１の第４ヒンジホールＨ４とを相互一致させる。
【０１０５】
最後に、この状態で第３ヒンジホールＨ３及び第４ヒンジホールＨ４に第２ヒンジピン７１Ｂを嵌合させることによって本実施例による携帯端末機用スイング式カバー開閉装置１００の組み立てが完了する。
【０１０６】
このような状態で、前記本体ケース１０にキーパッドなどを設置して本体３を構成し、カバーケース３０にディスプレー部などを設置してカバー５を構成すると、携帯端末機１に対する本実施例によるスイング式カバー開閉装置１００の装着が完了する。
【０１０７】
前述した組み立て過程から分かるように、本実施例による携帯端末機用スイング式カバー開閉装置１００は、携帯端末機１のカバー５を回転させるための構成を本体ケース１０及びカバーケース３０に一体に形成し、その本体ケース１０の中に弾性ユニット７０を構成することにより、全体的な装置の厚さが薄くなるので携帯端末機１のスリム化及び軽量化に有利であることはもちろん、その携帯端末機１の設計が簡単にかつ容易に行われる。
【０１０８】
さらに、本実施例による携帯端末機用スイング式カバー開閉装置１００は本体ケース１０及びカバーケース３０に一体に構成されるので、構成部品の数が最小化されることによって組立性が向上し、製造コストの節減などが可能になる。
【０１０９】
前述のような本発明の例示的な実施例による携帯端末機用スイング式カバー開閉装置１００の作動過程を、先に開示した図面及び下記の図面を参照して詳しく説明する。
【０１１０】
まず、図１に示されたように、携帯端末機１の本体３に対してカバー５を完全に閉じた場合、弾性ユニット７０はカバー５の回転方向に対して一側方向に斜めな状態を維持する。
【０１１１】
ここで、前記弾性ユニット７０のスプリング部材９１には、カバー５からの比較的小さい大きさの弾発力が作用する。
【０１１２】
この時、カバーケース３０のストッパー３３は本体ケース１０の中にあって、レール部１５の一側係止部１７にかかっている状態にある。
【０１１３】
そして、前記弾性ユニット７０のハウジング７１は本体ケース１０の補助ストッパー１６、つまり、装着ホール１８の一側孔端にストッピングされた状態にある。
【０１１４】
このような状態で、図９に示されたように、カバー５に時計回り方向に回転力を加えれば、カバー５はカバーケース３０の中空軸部３１を中心軸にして回転し始める。
【０１１５】
この過程で、カバー５は、本体３から半分ぐらい（ほぼ９０度）開けられる時まで回転する。
【０１１６】
つまり、回転支持部材５０が本体ケース１０に回転可能に支持されると共にカバーケース３０と結合されるので、カバー５は、カバーケース３０のストッパー３３が本体ケース１０のレール部１５に沿ってスライディングされながら時計回り方向への回転が行われる。
【０１１７】
この場合に、前記弾性ユニット７０は、そのハウジング７１とスライド部材８１が本体ケース１０及びカバーケース３０に各々ヒンジ結合されているので、カバー５が回転することによって反時計回り方向に回転するようになる。
【０１１８】
ここで、前記弾性ユニット７０は、本体ケース１０の貫通部１１の中心と同一線上（頂点）に位置するようになる。
【０１１９】
前記のように弾性ユニット７０がカバー５と共に回転することによって、その弾性ユニット７０のスライド部材８１はスプリング部材９１を最大に圧縮するようになる。
【０１２０】
そして、前記スプリング部材９１は、その弾性復原力をスライド部材８１を通してカバー５に発揮するようになる。
【０１２１】
この後、使用者がカバー５に対して継続して回転力を加えれば、図１０に示されたように、弾性ユニット７０が本体ケース１０の貫通部１１の中心と同一線上を通過する瞬間に、使用者がそれ以上力を加えなくても、カバー５は、スライド部材８１に提供されるスプリング部材９１の弾性復原力によって時計回り方向に沿って自動的に回転する。
【０１２２】
ここで、前記カバー５は、カバーケース３０のストッパー３３が本体ケース１０のレール部１５に沿ってスライディングされながら時計回り方向への回転が行われ、そのストッパー３３がレール部１５の他の一側の係止部１７にかかるまでに１８０度回転する。
【０１２３】
この過程では、前記弾性ユニット７０は、ハウジング７１が本体ケース１０の補助ストッパー１６、つまり、装着ホール１８の他の一側の孔端にストッピングされた状態にあり、スプリング部材９１は、カバー５が閉じられた時と同様に原状復原されて弾発力が弱くなったり解除されたりする。
【０１２４】
そして、前記弾性ユニット７０は、カバー５の回転方向に対して他の一側方向に斜めな状態を維持する。
【０１２５】
したがって、本実施例では、カバーケース３０が本体ケース１０に対して９０度の回転軌跡を描きながら回転し、そのために携帯端末機１のカバー５は本体３から１８０度回転しながら完全に開けられるようになる。
【０１２６】
このように前記カバーケース３０が本体ケース１０に対して９０度の回転軌跡を描く間、カバー５が１８０度回転する理由は、携帯端末機１の本体３及びカバー５が正四角形からなり、本実施例によるスイング式カバー開閉装置１００がその本体３とカバー５の間でこれらの角部分に構成されているためである。
【０１２７】
一方、カバー５の開放が完了した状態でそのカバー５を再び閉じる場合、前記カバー５に反時計回り方向に力を加えれば、前記カバー５の開放作動の逆順に各部品の動作が行われてカバー５は完全に閉じられるようになる。
【０１２８】
これにより、本実施例ではカム構造による面接触方式の従来の技術と異なって耐久性が向上し、簡単な構造によってカバー５をより滑らかく安定的に開閉させるのが可能になる。
【０１２９】
そして、本実施例では、携帯端末機１のカバー５を回転させるための構成を本体ケース１０及びカバーケース３０に一体に形成し、その本体ケース１０の中に弾性ユニット７０を構成し、本体ケース１０に弾性ユニット７０を装着するための装着ホール１８を形成することによって、全体的な装置の厚さが薄くなるので携帯端末機１のスリム化及び軽量化に有利であることはもちろん、その携帯端末機１の設計が簡単にかつ容易になる。
【０１３０】
図１１は、本発明の例示的な他の実施例による携帯端末機用スイング式カバー開閉装置を示した分解斜視図である。
【０１３１】
図面を参照すれば、本実施例による携帯端末機用スイング式カバー開閉装置２００は前記の実施例の構成を基本としながら、カバーケース１３０が回転する場合、そのカバーケース１３０を本体ケース１１０に対して上側方向に浮上させられる構造からなる。
【０１３２】
このために、前記カバーケース１３０は、図１２に示されたように、中空軸部１３１の外側周辺部分に第１カム面１２４を有する第１カム部１２１を一体に形成している。
【０１３３】
そして、前記本体ケース１１０は、第１カム部１２１に対応して、貫通部１１１の上部面周辺に沿って第１カム面１２４と相互面接触する第２カム面１４４を有する第２カム部１４１を一体に形成している。
【０１３４】
一方、本実施例による前記携帯端末機用スイング式カバー開閉装置２００は、本体ケース１１０に対してカバーケース１３０が浮上及び下降しながら開閉された場合、前記本体ケース１１０とカバーケース１３０の間に所定のギャップを形成することができる構造からなる。
【０１３５】
このために、本実施例では、回転支持部材１５０に、支持リブ１５１の上面が第３カム面１６４からなる第３カム部１６１を一体に形成している。
【０１３６】
そして、前記本体ケース１１０は、図１３に示されたように、貫通部１１１の下部面周辺部分に第３カム面１６４と相互面接触する第４カム面２１４を有する第４カム部２１１を一体に形成している。
【０１３７】
ここで、前記各カム面１２４、１４４、１６４、２１４は９０度間隔で凸区間（Ｄ１）を形成し、これら凸区間（Ｄ１）の間に凹区間（Ｄ２）を各々形成する。
【０１３８】
したがって、前記のように構成される本発明の例示的な他の実施例による携帯端末機用スイング式カバー開閉装置２００によれば、カバー５の閉鎖時、カバーケース１３０及び本体ケース１１０の各カム部１２１、１４１はこれらカム面１２４、１４４の凸区間（Ｄ１）が凹区間（Ｄ２）に接触された状態にある。
【０１３９】
この状態でカバー５を回転させると、前記各カム面１２４、１４４の凸区間（Ｄ１）が相互接触された状態となると共に、前記カバー５は上側方向に浮上するようになる。
【０１４０】
そして、前記カバー５の開放が完了した場合、各カム面１２４、１４４の凸区間（Ｄ１）が凹区間（Ｄ２）に接触すると共に前記カバー５は下側方向に下降するようになる。
【０１４１】
また、前記カバー５の開放が完了した状態でそのカバー５を再び閉じる場合、前記カバー５は開放作動の逆順に浮上及び下降動作が行われるようになる。
【０１４２】
一方、本実施例において、本体ケース１１０に対してカバーケース１３０が浮上及び下降しながら開閉される間、回転支持部材１５０及び本体ケース１１０の各カム部１６１、２１１は、これらカム面１６４、２１４の凸区間（Ｄ１）が相互接触すると同時に凹区間（Ｄ２）にスライディングされるので、前記本体ケース１１０とカバーケース１３０との間に所定のギャップを形成し、これらケース１１０、１３０の揺動を最小化することができるようになる。
【０１４３】
このような本実施例による携帯端末機用スイング式カバー開閉装置２００の残りの構成、これら構成の結合構造、及び作用は前述の実施例と同一であるので、本明細書でより詳しい説明は省略する。
【０１４４】
以上、本発明の好ましい実施例について説明したが、本発明はこれに限定されるわけではなく、特許請求の範囲と発明の詳細な説明及び添付した図面の範囲内で多様に変形して実施するのが可能であり、これもまた本発明の範囲に属する。
【符号の説明】
【０１４５】
１  携帯端末機
３  本体
５  カバー
１０、１１０  本体ケース
１１  貫通部
１３  突起
１５  レール部
１６  補助ストッパー
１７  係止部
１８  装着ホール
１９  スライディング溝
３０、１３０  カバーケース
３１、１３１  中空軸部
３３  ストッパー
３５  装着端
３７  キー突起
５０、１５０  回転支持部材
５１、１５１  支持リブ
５３  キー溝
７０  弾性ユニット
７１  ハウジング
７１Ａ  第１ヒンジピン
７１Ｂ  第２ヒンジピン
７４  装着溝
７５  ガイド溝
７６  ロッキングホール
８１  スライド部材
８４  支持ピン
８８  ロッキング突起
９１  スプリング部材
１００、２００  スイング式カバー開閉装置
１２１  第１カム部
１２４  第１カム面
１４１  第２カム部
１４４  第２カム面
１６１  第３カム部
１６４  第３カム面
Ｄ１  凸区間
Ｄ２  凹区間
Ｈ１  第１ヒンジホール
Ｈ２  第２ヒンジホール
Ｈ３  第３ヒンジホール
Ｈ４  第４ヒンジホール
【図１】
2011526715.tif 000003
【図２】
2011526715.tif 000004
【図３】
2011526715.tif 000005
【図４】
2011526715.tif 000006
【図５】
2011526715.tif 000007
【図６】
2011526715.tif 000008
【図７】
2011526715.tif 000009
【図８】
2011526715.tif 000010
【図９】
2011526715.tif 000011
【図１０】
2011526715.tif 000012
【図１１】
2011526715.tif 000013
【図１２】
2011526715.tif 000014
【図１３】
2011526715.tif 000015
【国際調査報告】
2011526715.tif 000016
2011526715.tif 000017